(57)【要約】【課題】筐体内に設けられた遠心送風機を介して、室内から空気を吸い込み、遠心送風機の吐出側に設けられた熱交換器を介して空気を冷却または加熱したのち、室内に向けて吹き出す空気調和機の室内機において、送風性能を悪化させることなく風向板や化粧パネルに結露が生じることを防ぐ。【解決手段】天井に埋め込まれる空気調和機の室内機であって、該室内機の上面及び側面を構成する筐体と、室内の空気を下方から吸い込み、側方に吐き出す遠心送風機と、該遠心送風機の側方を囲む、直線部と曲げ部で構成された熱交換器と、該熱交換器の下方に設けられ、結露水を受け止めるドレンパンと、該ドレンパンの外側壁面と前記筐体の側面の間に設けられた吹出口と、該吹出口の長手方向端部近傍に、該吹出口の略短手方向を向けて設けた仕切板と、を具備しており、該仕切板の上端と前記筐体の上面の間に所定の隙間を設けるとともに、前記仕切板の下端は前記ドレンパンの外側壁面の上端よりも下方に位置している空気調和機の室内機。【選択図】図１
2018179384.tif 000002
【特許請求の範囲】
【請求項１】
天井に埋め込まれる空気調和機の室内機であって、
該室内機の上面及び側面を構成する筐体と、
室内の空気を下方から吸い込み、側方に吐き出す遠心送風機と、
該遠心送風機の側方を囲む、直線部と曲げ部で構成された熱交換器と、
該熱交換器の下方に設けられ、結露水を受け止めるドレンパンと、
該ドレンパンの外側壁面と前記筐体の側面の間に設けられた吹出口と、
該吹出口の長手方向端部近傍に、該吹出口の略短手方向を向けて設けた仕切板と、
を具備しており、
該仕切板の上端と前記筐体の上面の間に所定の隙間を設けるとともに、
前記仕切板の下端は前記ドレンパンの外側壁面の上端よりも下方に位置していることを特徴とする空気調和機の室内機。
【請求項２】
請求項１に記載の空気調和機の室内機において、
前記仕切板の内側の端部は、前記ドレンパンの外側壁面に接触または更に内側に食い込んでいることを特徴とする空気調和機の室内機。
【請求項３】
請求項１に記載の空気調和機の室内機において、
前記仕切板の水平断面における、該仕切板と吹出口端部の距離が、筐体の外側で大きく、筐体の内側で小さくなっていることを特徴とする空気調和機の室内機。
【請求項４】
請求項１に記載の空気調和機の室内機において、
前記仕切板は前記ドレンパンと一体に形成されていることを特徴とする空気調和機の室内機。
【請求項５】
請求項１に記載の空気調和気の室内機において、
前記仕切板に前記吹出口の短手方向に伸びるスリットを設けたことを特徴とする空気調和機の室内機。
【請求項６】
請求項１に記載の空気調和機の室内機において、
前記ドレンパンの外側壁面は、前記吹出口の長手方向に凹部を有することを特徴とする空気調和機の室内機。
【請求項７】
請求項６に記載の空気調和機の室内機において、
前記仕切板の下端が前記ドレンパンの外側壁面の凹部内に位置するように突出することを特徴とする空気調和機の室内機。
【請求項８】
請求項７に記載の空気調和機の室内機において、
前記仕切板は化粧パネルの吹出口内まで延長されていることを特徴とする空気調和機の室内機。
【請求項９】
請求項１から８の何れか一項に記載の空気調和機の室内機において、
前記仕切板の上端と前記筐体の上面の間の隙間の大きさは、
前記ドレンパンの外側壁面の上端と前記筐体の上面の間の距離に対し、略２０〜８０％であることを特徴とする空気調和機の室内機。
【発明の詳細な説明】
【技術分野】
【０００１】
本発明は、空気調和機の室内機に関し、特に、筐体内に設けられた遠心送風機を介して、室内から空気を吸い込み、遠心送風機の吹き出し側に設けられた熱交換器を介して空気を冷却または加熱したのち、室内に向けて吹き出す、天井埋込カセットタイプの室内機に関するものである。
【背景技術】
【０００２】
一般的な空気調和機は、冷媒が封入された冷媒循環流路に、冷媒を圧縮する圧縮機と、冷媒と室内空気を熱交換させる室内熱交換器と、冷媒を減圧する膨張弁と、冷媒と外気を熱交換させる室外熱交換器を順次配設してなる冷凍サイクルを備えている。このうち室外熱交換器は、室外熱交換器に空気を送る送風機と共に室外機の筐体内に格納され、室内熱交換器は、室内熱交換器に室内の空気を送る送風機と共に室内機の筐体内に格納される。
【０００３】
室内機としては、据付場所に対応して様々な形態のものがあるが、近年、特に業務用の分野では、筐体を天井内に埋め込み、天井面に設置された化粧パネルを介して空気の吸い込み、吹き出しを行う、いわゆる天井埋込カセットタイプが主流となっている。
【０００４】
図１１から図１４を用いて、従来の天井埋込カセットタイプの室内機１００の一例を説明する。図１０は、従来の室内機１００の断面図であり、ここに示すように、室内機１００は、化粧パネル１と、化粧パネル１に接続された筐体２を備えている。
【０００５】
ここで、化粧パネル１は、中心に吸込みグリル３を備え、その周囲に風向板４を備えた吹出し口５が配設されている。吸込みグリル３は、フィルタ１６とともに化粧パネル１から着脱可能であり、フィルタ１６の清掃が容易な構造となっている。
【０００６】
筐体２内には、モータ６と、そのシャフトに接続された遠心ファン７からなる遠心送風機１９が設置され、モータ６を運転することにより遠心ファン７が回転し、矢印１５に示す様に、吸込みグリル３、フィルタ１６、ベルマウス１０を通して、遠心ファン７の吸込口に室内空気が吸い込まれ、矢印１８で示されるように遠心ファン７の吐出口より吐出される。また、遠心送風機１９の周囲を取り囲むように室内熱交換器８が配置され、遠心ファン７から吐出された空気は室内熱交換器８で熱交換されたあと、矢印１１７に示すように、上部及び外側が筐体２の内面で形成される吹出流路２０を通り、吹出口５より室内に吹出される。
【０００７】
また、室内熱交換器８の下部には冷房時に室内熱交換器８に生じる結露水を受けるためのドレンパン９が設置されている。ベルマウス１０の下面には室内機１００の運転を制御するための図示しない制御基板を収納した電気品箱１１が設置されており、吸込みグリル３を開けることにより、容易に電気品箱１１のメンテナンスが可能な構造となっている。ベルマウス１０はドレンパン９の内周部に下方から取付けられており、遠心ファン７やモータ６の交換などのメンテナンスも吸込みグリル３を開け、ベルマウス１０を取り外すことで容易に行える構造となっている。
【０００８】
次に、図１２を用いて、図１１の一点鎖線で示した遠心ファン７の回転軸に垂直な断面を説明する。この図は、遠心ファン７の吐出口を通る断面を、上方から見た断面図である。ここに示すように、熱交換器８は、遠心ファン７を取り囲むように直線部と曲げ部で構成されている。また、１つの角部（図１２では左上）には、ドレンパン９に溜まった結露水を室内機１００の外に排出するドレンポンプ２１が配置されており、熱交換器８はドレンポンプ２１を避けるように内側に折り曲げられている。また、別の一つの角部（図１２では右上）には熱交換器８に接続される配管や補器を収納する機械室２２が配置される。破線２３は、吹出口５の投影であり、吹出口５が室内機１００の四辺に配置され、角部には設けられていないことを示している。なお、本図では本発明の理解に説明を要しない、配管や補器等は記載を省略している。
【０００９】
遠心ファン７が矢印３０のように時計回りに回転すると、空気が矢印１８に示すように、遠心ファン７の径方向から回転方向側に傾いた角度で吹出され、熱交換器８を通過したのち、吹出口５に向かうことになる。ここで、吹出口５の開口部に面した熱交換器８の直線部を通過した空気は、矢印１１７ａのように吹出口５から直接吹き出されるが、熱交換器８の曲げ部周辺から吹き出される空気は、矢印１１７ｂのように吹出口５の端部側から回り込んで吹き出すことになる。
【００１０】
次に、図１３を用いて、図１２の一点鎖線で示した吹出口５を通る断面を説明する。この図は、吹出口５の長手方向に平行な断面を、室内機１００の外側方向から見た断面図である。ここに示すように、熱交換器８の曲げ部周辺から吹き出される矢印１１７ｂの空気のうち、熱交換器８の下部から吹き出される空気は矢印１１７ｃに示すように、ドレンパン９の壁面を一旦乗り越えてから吹出口５に流入する。このとき、ドレンパン９の壁面を乗り越える矢印１１７ｃの空気は壁面に沿って曲がりきることができず、結果として吹き出し口の端部に空気がほとんど流れない滞留域１３０が生じてしまう。
【００１１】
次に、図１４を用いて、図１３の一点鎖線で示した吹出口５の端部付近の断面を説明する。この図は、吹出口５の端部付近を垂直方向に切った断面である。熱交換器８の上方を通過した空気は、その方向が水平から下向きに急に曲げられることになるため、その流れは筐体２の外側に偏る傾向がある。吹出口５の中央部では熱交換器８から吹き出す矢印１１７ａの空気の量が十分多いため、吹出口５の幅全体を空気が流れるが、吹出口５の端部付近では、図１２に示したように滞留域１３０が生じる為、矢印１１７ｄに示すように、空気は流れやすい外側に集中し、風向板４の背面側に空気がほとんど流れない滞留域１３１を生じる。このように吹出口５の出口に滞留域１３０、１３１が生じると、室内機１００外部の暖かく湿った室内空気を吹出口５に巻き込み、吹出口５付近の風向板４や化粧パネル１に結露を生じやすくなってしまう問題があった。
【００１２】
このような問題を解決するため、特許文献１では、同文献の図１、図２中の符号３１に示す位置に、熱交換器の外周側に吹出口短手方向に沿って流路を仕切る仕切板を設け、吹出口端部付近を流れる空気の流量を増やしている。
【先行技術文献】
【特許文献】
【００１３】
【特許文献１】特開２０１５−１５８３１８号公報
【発明の概要】
【発明が解決しようとする課題】
【００１４】
しかしながら、特許文献１のように、仕切板を空気調和気の吹出流路の上部から下部まで全てに設けると、熱交換器の角部を通過した空気が全て吹出口端部の狭い開口部を通らなければならず、圧力損失が大きくなり風量が低下するなど送風性能が悪化するという問題があった。
【００１５】
本発明で解決しようとする課題は、筐体内に設けられた遠心送風機を介して、室内から空気を吸い込み、遠心送風機の吐出側に設けられた熱交換器を介して空気を冷却または加熱したのち、室内に向けて吹き出す空気調和機の室内機において、送風性能を悪化させることなく吹出口端部付近での滞留域の発生を防ぎ、吹出口付近の結露を抑制する空気調和気の室内機を得ることである。
【課題を解決するための手段】
【００１６】
前記目的を達成するため、本発明の空気調和機の室内機は、天井に埋め込まれる空気調和機の室内機であって、該室内機の上面及び側面を構成する筐体と、室内の空気を下方から吸い込み、側方に吐き出す遠心送風機と、該遠心送風機の側方を囲む、直線部と曲げ部で構成された熱交換器と、該熱交換器の下方に設けられ、結露水を受け止めるドレンパンと、該ドレンパンの外側壁面と前記筐体の側面の間に設けられた吹出口と、該吹出口の長手方向端部近傍に、該吹出口の略短手方向を向けて設けた仕切板と、を具備しており、該仕切板の上端と前記筐体の上面の間に所定の隙間を設けるとともに、前記仕切板の下端を前記ドレンパンの外側壁面の上端よりも下方に位置させた。
【発明の効果】
【００１７】
本発明によれば、送風性能を悪化させることなく吹出口端部付近での滞留域の発生を防ぎ、吹出口付近の結露を抑制する空気調和気の室内機を得ることが出来る。
【図面の簡単な説明】
【００１８】
【図１】実施例１の空気調和機の室内機を示す断面図。
【図２】実施例１の室内機の回転軸に垂直な断面図。
【図３】実施例１の室内機の吹出口を通る断面図。
【図４】実施例１の室内機の吹出口端部付近の断面図。
【図５】実施例１の天板と仕切板の隙間の大きさと送風機動力の関係を示すグラフ。
【図６】実施例２の空気調和機の室内機の回転軸に垂直な断面図。
【図７】実施例３の空気調和機の室内機の吹出口を通る断面図。
【図８】実施例３の空気調和機の室内機の吹出口端部付近の断面図。
【図９】実施例４の空気調和機の室内機の吹出口端部付近の断面図。
【図１０】実施例５の空気調和機の室内機の吹出口端部付近の断面図。
【図１１】従来の空気調和機の室内機の一例を示す断面図。
【図１２】従来の室内機の回転軸に垂直な断面図。
【図１３】従来の室内機の吹出口を通る断面図。
【図１４】従来の室内機の吹出口端部付近の断面図。
【発明を実施するための形態】
【００１９】
以下、本発明の実施例を図面を参照して説明する。
【実施例１】
【００２０】
実施例１の空気調和機の室内機１００を図１乃至図５を用いて説明する。なお、図１１〜図１４と同等の構成については重複説明を省略する。
【００２１】
図１は実施例１の空気調和機の室内機１００を示す断面図である。本実施例では、図１１等とは異なり、吹出口５の長手方向端部近傍に、吹出口５の略短手方向を向けて、吹出流路２０を仕切る略四角形の仕切板４１が設けられている。この仕切板４１は、外側端辺が筐体２の内面と接触しており、内側端辺の下部がドレンパン９の外側壁面に食い込む形状となっている。また、仕切板４１の上端は筐体２の天板から所定距離だけ離れており、吹出流路２０の上部に形成された天井と仕切板４１の間の隙間を空気が通過できるように構成されている。一方、仕切板４１の下端はドレンパン９の外側壁面の上端よりも下方に位置するよう構成されている。
【００２２】
次に、図２を用いて、図１の一点鎖線で示した、遠心ファン７の回転軸に垂直な断面を説明する。この図は、遠心ファン７の吐出口を通る断面を、筐体２の天板側から見た図である。遠心ファン７が矢印３０のように時計回りに回転すると、空気が矢印１８に示すように、遠心ファン７の径方向から回転方向側に傾いた角度で吹出され、熱交換器８を通過したのち、吹出口５に向かうことになる。ここで、吹出口５の開口部に面した熱交換器８の直線部を通過した空気は、矢印１７ａのように、仕切板４１に衝突することなく、吹出口５から直接吹き出される。一方、熱交換器８の曲げ部周辺から吹き出した空気は、矢印１７ｂ１の経路で、吹出口５の端部側に向かう。そして、仕切板４１に衝突し、矢印１７ｅのように筐体２の内側に向かう流れと外側に向かう流れに分離される。
【００２３】
次に、図３を用いて、図２の一点鎖線で示した吹出口５を通る断面を説明する。この図は、吹出口５の長手方向に平行な断面を、室内機１００の外側方向から見た断面図である。熱交換器８の曲げ部周辺の下部から吹き出される空気は、矢印１７ｃに示すように、ドレンパン９の外側壁面を一旦乗り越えた後、仕切板４１に衝突して流れが下向きに変えられてから吹出口５に流入する。このため、ドレンパン９の外側壁面に沿った空気の流れを作ることができ、図１３に示した滞留域１３０の発生を抑制することができる。
【００２４】
一方、熱交換器８の上部から吹き出した空気は、矢印１７ｂ２に示すように、天井と仕切板４１の間の隙間を通ることで、仕切板４１がない図１３と同様に吹出口に直接向かうことができる。従って、熱交換器８の上部から吹き出した空気に関しては、仕切板４１を配置した場合であっても、吹出口５での抵抗の悪化はなく、室内機１００としての送風性能を悪化させることがない。
【００２５】
次に、図４を用いて、図３の一点鎖線で示した吹出口５の端部付近の断面を説明する。この図は、吹出口５の端部付近を垂直方向に切った断面であり、図中のＨ１は、筐体２の天井からドレンパン９の外周部上端までの距離であり、Ｈ２は、筐体２の天井から仕切板４１の上端までの距離である。熱交換器８の上方を通過した空気は、その方向が水平から下向きに急に曲げられることになるため、その流れは筐体２の外側に偏る傾向があるが、本実施例では、図２の矢印１７ｅのように仕切板に衝突した空気の一部は筐体２の内側に向かう矢印１７ｆの流れとなり、これが吹出口５の筐体２の内側方向から吹き出すことになるため、吹出口５の端部付近においても、風向板４の背面側においても、図１４のような滞留域１３１を生じることがない。従って、図１１〜図１４に示した、従来の空気調和機と比べて、暖かく湿った室内空気を吹出口５に巻き込むことを抑制でき、風向板４や化粧パネル１に結露が生じにくい空気調和機を得ることができる。
【００２６】
次に、図５のグラフを用いて、本実施例における、筐体２と仕切板４１の隙間の大きさと、遠心送風機１９の駆動力の大きさの関係を説明する。このグラフにおいて、横軸は図４に示すＨ２とＨ１の比であり、縦軸は所定風量の吐出に要する送風機動力の大きさを相対的に示したものである。このグラフから明らかなように、所定風量を得るために必要な送風機の動力は、隙間（Ｈ２）が２０％未満のときに大きく、隙間（Ｈ２）が２０％強〜約８０％のときに１００％未満となっており、特に、隙間（Ｈ２）が約５０％のときに最小となることが分かる。従って、吹出口５の端部に設ける仕切板４１の高さを、Ｈ１に対して２０〜８０％とすることで、遠心送風機１９の駆動力を抑制しつつ、滞留域の発生を抑制し、風向板４や化粧パネル１の結露を回避することができる。
【００２７】
なお、空気を風向板の背面側に流す十分な効果を得るには内側の端部がドレンパンにほぼ接触する位置までは設けた方が望ましい。更に内側の端部が熱交換器に近づく程流れを風向板の背面側に流す効果は高くなり、熱交換器に接触する位置まで設けてもよい。
【００２８】
また、仕切板はドレンパンと同一の材料で一体整形とすれば、部品点数が増えることはなく、別部品を取り付ける手間も省け、製造コストが低減できる。
【実施例２】
【００２９】
次に図６を用いて実施例２を説明する。なお、実施例１と構成が等しい部分には同一の符号を付し、重複説明を省略する。
【００３０】
図６は本実施例の空気調和機の遠心ファン７の回転軸に垂直な断面を示し、実施例１の図２に相当する断面図である。実施例１と異なる点は、吹出口５の端部近傍に設ける仕切板４２が水平断面において、仕切板４２と吹出口５の端部との距離が、筐体２の外側よりも内側で小さくなっていることである。本実施例では実施例１の効果に加えて、滞留域が生じやすい領域である吹出口端部近傍の筐体内側の流路を狭くすることで風速を上げ、滞留を起こりにくくすることで、更に風向板や吹出口に結露が生じにくくすることができる。
【実施例３】
【００３１】
次に図７及び図８を用いて実施例３を説明する。なお、前述の実施例と構成が等しい部分には同一の符号を付し、重複説明を省略する。
【００３２】
図７は本実施例の空気調和機の吹出口５を通る断面、図８は本実施例における空気調和機の吹出口５の端部付近の断面であり、それぞれ実施例１における図３及び図４に相当する断面図である。
【００３３】
本実施例が上記の実施例と異なるのは、仕切板４３に吹出口５の略短手方向に伸びる略水平なスリット４３ａを設けた点である。熱交換器８の曲げ部の上部から吹き出した空気は図７の矢印１７ｂ２のように仕切板がない場合と同様に吹出口に直接向かうが、このとき実施例１の仕切板４１では吹出口５の中央側の面において流れが剥離し、滞留域が生じる恐れがある。そこで本実施例の仕切板４３では、熱交換器８の角部から吹出口５に向かう空気の一部を、矢印１７ｈのように、スリット４３ａを通して仕切板４３の中央側の面に流すことで空気の剥離を防ぎ、滞留域が生じるのを防止できる。なお、スリット４３ａは仕切板４３の幅全域に設け、仕切板４３を上下に分離した構成としても良いが、図８のように一端部がつながった形状とすることで、仕切板４３を一つの部品とし、組み立て性を悪化させることなく構成することができる。
【実施例４】
【００３４】
次に図９を用いて実施例４を説明する。なお、前述の実施例と構成が等しい部分には同一の符号を付し、重複説明を省略する。
【００３５】
図９は本実施例における空気調和機の吹出口５の端部付近の断面であり、実施例１における図４に相当する断面図である。前記の実施例と異なるのは、ドレンパン２９の外側壁面下部から吹出口５の出口にかけて、吹出口５の内壁（つまり、ドレンパン２９の外側壁面）が内側に凹んだ凹部が形成され、更に仕切板４４の下端が内壁の凹部内に位置するように突出していることである。ドレンパンの外側壁面の上端では熱交換器８の下部を通った空気が剥離しやすいが、ドレンパン２９の外側壁面を肉厚とし、剥離した空気の再付着を促すことで風向板４の背面側を通る空気を増やすことができる。特に、本実施例では、仕切板４４をドレンパン２９の外側壁面の肉厚が減る凹部にまで仕切板４４を延長しており、凹部で空気が中央に流れるのを防止し、更に効果的に結露を防止することができる。
【実施例５】
【００３６】
次に図１０を用いて実施例５を説明する。なお、前述の実施例と構成が等しい部分には同一の符号を付し、重複説明を省略する。
【００３７】
図１０は本実施例における空気調和機の吹出口５の端部付近の断面であり、実施例１における図４に相当する断面図である。前記の実施例４と異なるのは、仕切板４５は化粧パネルの吹出口内まで延長されており、更に風向板４が移動する範囲に溝を設けて風向板４と干渉しないように構成している点である。このように風向板４にまで仕切板４５を延長することで、更に風向板４に結露が生じにくい構成とすることでできる。ここで、仕切板４５は一体でもよいし、化粧パネル内に延長された部分を分割して化粧パネルに取り付けてもよい。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成について、他の構成の追加、削除、置換をすることが可能である。
【００３９】
例えば、熱交換器の角部に隣接する吹出口の端部近傍の全てに仕切板を設けるのでなく、本発明の効果を特に得たい一部のみに本発明の構成を適用してもよいし、各端部に設ける仕切板ごとに効果に応じて高さ方向や幅方向の寸法を変えてもよい。また各端部に設ける仕切板ごとに前記の実施例のいずれかを適用して構成することもできる。
【符号の説明】
【００４０】
１００  室内機、
１  化粧パネル、
２  筐体、
３  吸込みグリル、
４  風向板、
５  吹出口、
６  モータ、
７  遠心ファン、
８  熱交換器、
９、２９  ドレンパン、
１０  ベルマウス、
１１  電気品箱、
１５  室内から吸い込む空気を示す矢印、
１６  フィルタ、
１７、１７ａ〜１７ｊ、１１７、１１７ａ〜１１７ｄ  熱交換器から室内へ吹き出す空気を示す矢印、
１８  遠心ファンから吐出する空気を示す矢印、
１９  遠心送風機、
２０  吹出流路、
２１  ドレンポンプ、
２２  機械室、
２３  吹出口５の投影位置を示す破線、
４１、４２、４３、４４、４５  仕切板、
４３ａ  スリット、
１３０、１３１  滞留域
【図１】
2018179384.tif 000003
【図２】
2018179384.tif 000004
【図３】
2018179384.tif 000005
【図４】
2018179384.tif 000006
【図５】
2018179384.tif 000007
【図６】
2018179384.tif 000008
【図７】
2018179384.tif 000009
【図８】
2018179384.tif 000010
【図９】
2018179384.tif 000011
【図１０】
2018179384.tif 000012
【図１１】
2018179384.tif 000013
【図１２】
2018179384.tif 000014
【図１３】
2018179384.tif 000015
【図１４】
2018179384.tif 000016